(57)【要約】【課題】初筆時に塗布液がチップ先端からスムーズに吐出し、また、塗布液が漏れ出すことのない塗布具を提供する。【解決手段】球状塗布体３１を回転自由に抱持したチップ３０を嵌着し、押出し管２２を有する先口２０を軸筒１０の先端開口に取り付け、先端開口が詰め栓４２で封止され、内部に塗布液が充填された塗布液タンク４０を軸筒内に収容し、初筆時において軸筒の尾端開口から突出する塗布液タンクの尾端部を押し込むと、押出し管によって塗布液タンクの詰め栓が後退して先端開口の封止が解除される。また、塗布可能状態において、塗布液タンクの尾端部が軸筒の尾端開口から突出する部分４０ａの長さを指先で掴むのが困難な程度の長さにする。【選択図】  図１
2004330721.tif 000002
【特許請求の範囲】
【請求項１】
先端の中心孔に球状塗布体を回転自由に抱持したチップが嵌着され、該中心孔に連通する押出し管を有する先口が軸筒の先端開口に取り付けられ、先端開口が詰め栓で封止され、内部に塗布液が充填された塗布液タンクが軸筒内に収容されてなり、
初筆時において軸筒の尾端開口から突出する塗布液タンクの尾端部を押し込むと、押出し管によって該塗布液タンクの詰め栓が後退して先端開口の封止が解除され、塗布液タンク内の塗布液がチップに供給されて塗布可能となることを特徴とする塗布具。
【請求項２】
塗布可能状態において、塗布液タンクの尾端部が軸筒の尾端開口から突出する部分の長さが指先で掴むのが困難な程度の長さであることを特徴とする請求項１記載の塗布具。
【発明の詳細な説明】
【０００１】
【産業上の利用分野】
本発明は、修正液や化粧液など、顔料が溶媒内に分散した粘度の高い塗布液が充填された塗布具に関するものである。
【０００２】
【従来の技術】
塗布体が球状の塗布具は、筆記具の軸筒に相当する塗布液タンク内に顔料が溶媒内に分散した粘度の高い塗布液が充填されており、この塗布液タンクの先端に直接あるいは先口を介してチップが取り付けられいる。そして、ボールペンと同様に、チップの先端からその一部が先端から臨出した状態で球状塗布体が回転自由に抱持されている。この球状塗布体をスプリングで弾発し、不使用時に、球状塗布体をチップの内向きの先端縁に密着させ、球状塗布体とチップの先端縁で弁構造を構成して塗布液が吐出しないようにしている。
【０００３】
使用時において、球状塗布体を塗布面に押し付けると球状塗布体がスプリングの弾発力に抗して後退し、球状塗布体とチップの先端縁との間に隙間ができるので、球状塗布体のチップ内の部分に付着した塗布液が球状塗布体の回転に伴ってこの隙間を通ってチップの外側に出て塗布される。
【０００４】
塗布液タンクに充填された造膜性の塗布液は、顔料が溶媒内に分散したものであるので、長時間放置しておくと、顔料が溶媒と分離して沈降する。このため、塗布液タンク内に球状や棒状の撹拌部材を配置し、使用に先だって、塗布具を振って上下動する撹拌部材で塗布液を撹拌し、分離した顔料を溶媒に分散させる必要がある。
【０００５】
【発明が解決しようとする課題】
直径がφ１ｍｍ程度の球状塗布体を回転自由に抱持したチップは外径がφ３ｍｍ程度であり、このチップか軸筒や先口先端の中心孔の中腹部まで嵌着されている。従って、先口の中心孔の内径もφ３ｍｍ程度である。一方、塗布液タンクの内径はφ８ｍｍ程度であり、塗布液タンク内に配置された撹拌子の外径はφ６ｍｍ程度である。このため、塗布具を上下に振っても、撹拌子は先口の中心孔内に侵入しないので、先口の中心孔のチップが嵌着されていない部分に沈降した顔料を撹拌することができない。
【０００６】
ところで、塗布具が製造されてからユーザーの手に渡るまでに長期間経過することがあり、この場合はチップ内において塗布液の顔料が沈降する可能性が高い。このように、チップ内において塗布液の顔料が沈降すると、ユーザーが最初に使用するとき（初筆時）に塗布液がチップ先端からスムーズに吐出しない不具合がある。
【０００７】
そこで本発明は、初筆時に塗布液がチップ先端からスムーズに吐出する塗布具を提供することを目的とし、更には、塗布可能状態において塗布液が不意に漏れ出すことのない塗布具を提供することを目的とする。
【０００８】
【課題を解決するための手段】
かかる目的を達成するために、請求項１の発明は、先口先端の中心孔に球状塗布体を回転自由に抱持したチップを嵌着し、この中心孔に連通する押出し管を有する先口を軸筒の先端開口に取り付け、先端開口が詰め栓で封止され、内部に塗布液が充填された塗布液タンクを軸筒内に収容し、初筆時において軸筒の尾端開口から突出する塗布液タンクの尾端部を押し込むと、押出し管によって塗布液タンクの詰め栓が後退して先端開口の封止が解除され、塗布液タンク内の塗布液がチップに供給されて塗布可能となるようにする。
【０００９】
請求項２の発明は、請求項１の発明において、塗布可能状態において、塗布液タンクの尾端部が軸筒の尾端開口から突出する部分の長さを指先で掴むのが困難な程度の長さにする。
【００１０】
【発明の実施の形態】
以下に、図面に基づいて本発明の実施の形態を具体的に説明する。図１は塗布具が出荷される前の状態を示す断面図であるが、図１において、軸筒１０は、合成樹脂、例えばナイロンやＰＢＴなどで成形されたものであり、肉厚は０．５〜１．０ｍｍの範囲の薄肉なものであり、例えば０．６ｍｍである。軸筒１０の尾端部はやや小径のキャップ嵌着部１１が形成されており、使用時には、図３に示すように、キャップ５０を嵌着できるようになっている。そして、軸筒１０とキャップ嵌着部１１の境界の内面に内段１２が形成されている。軸筒１０の先端開口には先口２０が取り付けられている。なお、軸筒１０と先口２０を一体に成形したものであってもよい。先口２０の中心孔２１にチップ３０が嵌着されている。また、先口２０内部には筒状の押出し管２２が形成されており、押出し管２２の内面は中心孔２１に連通している。また、不使用時には、先口２０にキャップ５０が嵌着される。
【００１１】
チップ３０は、ステンレスにて砲弾型に形成されており、チップ３０先端のボールハウスに、直径が例えばφ１．０ｍｍの超硬ボールからなる球状塗布体３１がその一部がチップ３０の先端から臨出した状態で回転自由に抱持されたボールペンタイプである。なお、チップ３０は金属パイプからなるものであってもよい。そして、チップ３０内には、質量の小さなスプリング３２が配置されており、このスプリング３２が球状塗布体３１を弾発してチップ３０の内向きの先端縁に圧接している。つまり、球状塗布体３１とチップ３０の先端縁とで弁機構を構成し、不使用時に塗布液がチップ３０の先端から吐出しないようになっている。
【００１２】
塗布液タンク４０は、軸筒１０と同じく、合成樹脂、例えばナイロンやＰＢＴなどで有底筒状に成形されたものであり、肉厚は０．５〜１．０ｍｍの範囲の薄肉なものであり、例えば０．６ｍｍである。塗布液タンク４０の先端部には先端開口部材４１が嵌着されており、金属球からなり、攪拌子を兼ねる詰め栓４２が先端開口部材４１先端の封止部４１ａに圧入されている。つまり、塗布液タンク４０の先端開口は詰め栓４２によって封止されている。そして、塗布液タンク４０内には、例えば粘度が３０〜４０ｃｐｓであって、溶媒に顔料が分散した造膜性の高い修正液である塗布液（図示せず）が充填されている。また、塗布液内には金属球からなる２個の攪拌子４３が配置されている。また、塗布液タンク４０の尾端部には外段４９が形成されている。
【００１３】
かかる塗布液タンク４０が軸筒１０内に配置されており、外段４９が軸筒１０の内段１２に当接して塗布液タンク４０が軸筒１０から抜け落ちないようになっている。そして、出荷時においては、押出し管２２の尾端部は塗布液タンク４０の封止部４１ａ内に少し入り込んではいるが、詰め栓４２は封止部４１ａに圧入された状態であり、塗布液タンク４０は開封されていない。つまり、チップ３０内には、塗布液は存在しない。
【００１４】
しかして、最初の使用に際してユーザーは、図２に示すように、キャップ５０をキャップ嵌着部１１に嵌着してキャップ５０を押し込む。このとき、図３に示すように、キャップ５０内部の段部５１が塗布液タンク４０の尾端面に当接しているので塗布液タンク４０は前進し、押出し管２２が封止部４１ａに大きく入り込む。なお、キャップ５０を使用することなく、指先にて塗布液タンク４０の尾端面を押し込んでもよい。これにより、押出し管２２の尾端面が詰め栓４２を塗布液タンク４０内に押しやり、塗布液タンク４０の先端開口は開封される。従って、塗布液タンク４０内の塗布液が押出し管２２の内面に連通した中心孔２１を通ってチップ３０内に供給され、初筆時において塗布液がチップ３０先端からスムーズに吐出する。そして、塗布液タンク４０内に押しやられた詰め栓４２は攪拌子として働く。
【００１５】
非使用時は、図４に示すように、キャップ５０を軸筒１０先端に嵌着するので、塗布液タンク４０の軸筒１０の尾端開口から突出した部分４０ａが露出しているが、もしも不用意に尾端開口から突出した部分４０ａを指先で引っ張ると塗布液タンク４０は後退し、押出し管２２は封止部４１ａからほとんど離間し、図１示す状態になる。このとき、詰め栓４２は塗布液タンク４０内に押しやられて封止が開放されているので、塗布液は封止部４１ａらか洩れ、その塗布液が軸筒１０の尾端開口から外部に漏れ出すことになる。
【００１６】
しかしここで、軸筒１０の尾端開口から突出した部分４０ａの長さＬは例えば５ｍｍ以下であり、突出部分４０ａを指先で摘むことはほとんど不可能な長さになっている。したがって、不用意に突出部分４０ａを指先で引っ張ることはなく、前述の塗布液が軸筒１０の尾端開口から外部に漏れ出す不具合を解消することができる。
【００１７】
【発明の効果】
以上説明したように、本発明の塗布具は、先口先端の中心孔に球状塗布体を回転自由に抱持したチップを嵌着し、この中心孔に連通する押出し管を有する先口を軸筒の先端開口に取り付け、先端開口が詰め栓で封止され、内部に塗布液が充填された塗布液タンクを軸筒内に収容し、初筆時において軸筒の尾端開口から突出する塗布液タンクの尾端部を押し込むと、押出し管によって塗布液タンクの詰め栓が後退して先端開口の封止が解除され、塗布液タンク内の塗布液がチップに供給されて塗布可能となるようにするので、初筆時に塗布液がチップ先端からスムーズに吐出する塗布具とすることができる。
また、塗布可能状態において、塗布液タンクの尾端部が軸筒の尾端開口から突出する部分の長さを指先で掴むのが困難な程度の長さにするので、塗布液が不意に漏れ出すことのない塗布具とすることができる。
【図面の簡単な説明】
【図１】出荷時の状態を示す断面図である。
【図２】使用開始時の状態を示す正面図である。
【図３】使用時の状態を示す断面図である。
【図４】不使用時の正面図である。
【符号の説明】
１０    軸筒
１１    キャップ嵌着部
１２    内段
２０    先口
２１    先口の中心孔
２２    押出し管
３０    チップ
３１    球状塗布体
３２    スプリング
４０    塗布液タンク
４０ａ  突出部分
４１    先端開口部材
４１ａ  封止部
４２    詰め栓
４３    攪拌子
４９    外段
５０    キャップ
５１    段部
【図１】
2004330721.tif 000003
【図２】
2004330721.tif 000004
【図３】
2004330721.tif 000005
【図４】
2004330721.tif 000006